(57)【要約】【課題】本発明は、非導電体からなる開閉体にアンテナを設ける場合においても、受信性能を高めることができる車両用アンテナ装置を提供する。【解決手段】導電体からなり開口部を有する車体と、非導電体からなり上記開口部を開閉自在に覆う開閉体２と、上記開閉体２に設けられ、上記車体から上記開閉体２へ引き出される同軸線６の内部導体と接続されるアンテナ素子３および５とを有し、上記開閉体２は、ヒンジ８および８’のような支持手段を介して上記車体に支持されるとともに、上記同軸線６の外部導体は上記支持手段に接続されることを特徴とする。【選択図】  図２
2004297260.tif 000002
【特許請求の範囲】
【請求項１】
導電体からなり開口部を有する車体と、非導電体からなり上記開口部を開閉自在に覆う開閉体と、上記開閉体に設けられ、上記車体から上記開閉体へ引き出される同軸線の内部導体と接続されるアンテナ素子とを有し、
上記開閉体は、上記車体と上記開閉体とを電気的に接続し得るよう、少なくとも一部が導電体で構成される支持手段によって上記車体に支持されるとともに、上記同軸線の外部導体は上記支持手段に接続されることを特徴とする車両用アンテナ装置。
【請求項２】
上記支持手段は、導電体からなる締結部材により上記車体および上記開閉体にそれぞれ固定され、上記同軸線の外部導体は、上記開閉体側の締結部材に接続されることを特徴とする請求項１に記載の車両用アンテナ装置。
【請求項３】
上記同軸線の内部導体は、上記アンテナ素子と接続される給電部を有し、該給電部は、上記支持手段の近傍に設けられることを特徴とする請求項１または２に記載の車両用アンテナ装置。
【請求項４】
上記アンテナ素子は、第１アンテナ素子と第２アンテナ素子とからなり、上記第１アンテナ素子は車両略水平面内に配されるとともに、上記第２アンテナ素子は車両下方に向かって傾斜して配されることを特徴とする請求項１乃至３のいずれか１項に記載の車両用アンテナ装置。
【請求項５】
上記開閉体は、アウターパネルと、インナーパネルと、窓体とから構成されるとともに、上記第１アンテナ素子は、上記インナーパネルとアウターパネルとに挟まれる空間に配される一方、上記第２アンテナ素子は上記窓体に配されることを特徴とする請求項４に記載の車両用アンテナ装置。
【請求項６】
上記第２アンテナ素子の受信周波数帯は、上記第１アンテナ素子の受信周波数帯よりも高く設定されることを特徴とする請求項４または５に記載の車両用アンテナ装置。
【請求項７】
上記開閉体は車両の後面に形成された開口部を覆うリフトゲートであり、上記第１アンテナ素子は、上記リフトゲート上部に配されることを特徴とする請求項４乃至６のいずれか１項に記載の車両用アンテナ装置。
【請求項８】
上記支持手段は、上記開閉体を開閉自在に支持するヒンジ部材であることを特徴とする請求項１乃至７のいずれか１項に記載の車両用アンテナ装置。
【請求項９】
上記支持手段は、上記開閉体を上記開口部に固定支持するためのラッチ部材と、該ラッチ部材と係合するストライカからなるロック部材であることを特徴とする請求項１乃至７のいずれか１項に記載の車両用アンテナ装置。
【請求項１０】
上記ヒンジ部材は、上記車体と接続される車体側ヒンジブラケットと、上記開閉体に接続される開閉体側ヒンジブラケットとを有し、上記車体側ヒンジブラケットと開閉体側ヒンジブラケットとを電気的に直接接続する電気接続部材を設けることを特徴とする請求項８に記載の車両用アンテナ装置。
【発明の詳細な説明】
【０００１】
【発明が属する技術分野】
本発明は、車両に設けられるアンテナに関し、特に、樹脂などの非電導体からなる開閉体用のアンテナに関するものである。
【０００２】
【従来の技術】
現在、車両には、ＡＭラジオ放送波やＦＭラジオ放送波、ＴＶ放送波など種々の放送波を受信するためのアンテナ装置が設けられている。
【０００３】
このアンテナ装置は、車外に突出するポールアンテナの採用による美観の低下や風切り騒音の増加を避けつつ良好な受信感度を確保するため、リフトゲートなどの開閉体に配されることが多い。
【０００４】
ところで、近年、燃費向上のために車両重量を削減することが重要なテーマとなっている。これに伴い、軽量化のため、リフトゲートやトランクリッド、ドア等の開閉体に合成樹脂を用いたものが実用に供されるようになってきている。
【０００５】
樹脂のような非導電体を開閉体へ用いると、開閉体内部にアンテナ装置を設けることが可能となり、車両の美観を損うことなく種々の放送波を受信できる利点がある。
例えば、特許文献１には、車両のトランクリッドの一部を樹脂製とし、そこへアンテナ素子を埋め込む構成が開示されている。
【０００６】
【特許文献１】
特開平６−１５２２１７号公報
【０００７】
【発明が解決しようとする課題】
しかしながら、更なる車両重量の削減を実現させるため、開閉体の一部ではなく全体を樹脂のような非導電体とすると、開閉体そのものが車体に対し絶縁されてしまうため、接地型アンテナのアース（電気的接地）が開閉体側で取れなくなるという問題が生じる。
【０００８】
そのため、具体的には、車体側の受信装置に接続された同軸線を外部導体と内部導体とに分岐させ、外部導体を車体側に設けられたアースポイントでアースさせる一方、内部導体は開閉体に至るまで引き出してアンテナ素子と接続しなければならなくなる。
【０００９】
接地型アンテナでは、同軸線の内部導体のうち、内部導体が外部導体と分岐された点からアンテナ素子の先端までの部分が実際の有効受信部分となるため、上記のようにアンテナを構成した場合には、有効受信部分のうち放送波の受信感度が低い部分（換言すればアンテナ素子以外の有効受信部分）が長くなり、結果として受信性能の低下を招いてしまうのである。
【００１０】
理想的な有効受信部分の長さは、受信放送波の波長の１／４であるとされており、特に、この理想長さが約１５ｃｍと極めて短いＵＨＦ波（ＴＶ放送波）では、上記構成をとると実際の車両搭載時に有効受信部分が１５ｃｍよりも長くなってしまい、受信自体が難しくなり、最悪の場合、受信できなくなる惧れもある。
【００１１】
本発明は、上記技術的課題に鑑みてなされたもので、非導電体からなる開閉体にアンテナを設ける場合においても、アースポイントからアンテナ素子までの距離を短くすることにより受信性能を高めることができる車両用アンテナ装置を提供することを目的とする。
【００１２】
【課題を解決するための手段】
上記の目的を達成すべく、本願請求項１の発明（以下、第１の発明という）に係る車両用アンテナ装置は、導電体からなり開口部を有する車体と、非導電体からなり上記開口部を開閉自在に覆う開閉体と、上記開閉体に設けられ、上記車体から上記開閉体へ引き出される同軸線の内部導体と接続されるアンテナ素子とを有し、
上記開閉体は、上記車体と上記開閉体とを電気的に接続し得るよう、少なくとも一部が導電体で構成される支持手段によって上記車体に支持されるとともに、上記同軸線の外部導体は上記支持手段に接続されることを特徴としたものである。
【００１３】
また、本願請求項２の発明（以下、第２の発明という）に係る車両用アンテナ装置は、上記第１の発明において、上記支持手段は、導電体からなる締結部材により上記車体および上記開閉体にそれぞれ固定され、上記同軸線の外部導体は、上記開閉体側の締結部材に接続されることを特徴としたものである。
【００１４】
更に、本願請求項３の発明（以下、第３の発明という）に係る車両用アンテナ装置は、上記第１または第２の発明において、上記同軸線の内部導体は、上記アンテナ素子と接続される給電部を有し、該給電部は、上記支持手段の近傍に設けられることを特徴としたものである。
【００１５】
更にまた、本願請求項４の発明（以下、第４の発明という）に係る車両用アンテナ装置は、上記第１乃至３のいずれか１つの発明において、上記アンテナ素子は、第１アンテナ素子と第２アンテナ素子とからなり、上記第１アンテナ素子は車両略水平面内に配されるとともに、上記第２アンテナ素子は車両下方に向かって傾斜して配されることを特徴としたものである。
【００１６】
更にまた、本願請求項５の発明（以下、第５の発明という）に係る車両用アンテナ装置は、上記第４の発明において、上記開閉体は、アウターパネルと、インナーパネルと、窓体とから構成されるとともに、上記第１アンテナ素子は、上記インナーパネルとアウターパネルとに挟まれる空間に配される一方、上記第２アンテナ素子は上記窓体に配されることを特徴としたものである。
【００１７】
更にまた、本願請求項６の発明（以下、第６の発明という）に係る車両用アンテナ装置は、上記第４または５の発明において、上記第２アンテナ素子の受信周波数帯は、上記第１アンテナ素子の受信周波数帯よりも高く設定されることを特徴としたものである。
【００１８】
更にまた、本願請求項７の発明（以下、第７の発明という）に係る車両用アンテナ装置は、上記第４乃至６のいずれか１つの発明において、上記開閉体は車両の後面に形成された開口部を覆うリフトゲートであり、上記第１アンテナ素子は、上記リフトゲート上部に配されることを特徴としたものである。
【００１９】
更にまた、本願請求項８の発明（以下、第８の発明という）に係る車両用アンテナ装置は、上記第１乃至７のいずれか１つの発明において、上記支持手段は、上記開閉体を開閉自在に支持するヒンジ部材であることを特徴としたものである。
【００２０】
更にまた、本願請求項９の発明（以下、第９の発明という）に係る車両用アンテナ装置は、上記第１乃至７のいずれか１つの発明において、上記支持手段は、上記開閉体を上記開口部に固定支持するためのラッチ部材と、該ラッチ部材と係合するストライカからなるロック部材であることを特徴としたものである。
【００２１】
更にまた、本願請求項１０の発明（以下、第１０の発明という）に係る車両用アンテナ装置は、上記第８の発明において、上記ヒンジ部材は、上記車体と接続される車体側ヒンジブラケットと、上記開閉体に接続される開閉体側ヒンジブラケットとを有し、上記車体側ヒンジブラケットと開閉体側ヒンジブラケットとを電気的に直接接続する電気接続部材を設けることを特徴としたものである。
【００２２】
【発明の実施の形態】
以下、本発明の実施の形態を添付図面に基づいて詳細に説明する。
まず、第１の実施形態について説明する。図１は本実施の形態に係る車両用アンテナ装置を備えた自動車の後方斜視図である。
図１に示されるように、本実施の形態に係る自動車１には、その後面に設けられ、荷物の出し入れを行うための開口部を開閉自在に覆う開閉体としてのリフトゲート２が設けられ、該リフトゲート２の上部にはＡＭ放送波を受信する第１アンテナ素子３が設けられている。更に、リフトゲート２に設けられた窓体としてのリヤウインドウガラス４の車両上部には、ＡＭ放送波よりも周波数帯が高いＦＭ放送波を受信する第２アンテナ素子５が設けられている。詳細は後述するが、上記第１アンテナ素子３および第２アンテナ素子５は、コネクタを介して同軸線６の内部導体と接続され、同軸線６は車室内に設けられた受信機７と図示しないコネクタを介して接続されている。
【００２３】
図２は自動車の後部平面図であり、図３はリフトゲート２を車室内側から見た図である。
図２および図３に示すように、リフトゲート２は、その上部において、支持手段としてのヒンジ部材８および８’を介して自動車１の車体に連結されており、上下方向へ開閉自在に支持されている。ヒンジ部材８は、導電体としての金属からなるとともに、図３に詳細に示すように、車体側ヒンジブラケット８ａ、開閉体側ヒンジブラケット８ｂ、そして車体側ヒンジブラケット８ａと開閉体側ヒンジブラケット８ｂとを回動自在に連結する連結体としてのヒンジピン８ｃとから構成されている。車体側ヒンジブラケット８ａは車体側への締結部材としてのボルト８ｄにより車体と締結されているとともに、開閉体側ブラケット８ｂは開閉体側への締結部材としてのボルト８ｅおよび８ｆの２つのボルトによりリフトゲート２と締結されている。
【００２４】
なお、リヤウインドウガラス４には、図３に示すように、第２アンテナ素子５の車両下方に、通電による発熱を利用してリヤウインドウガラス４の曇りや霜雪を取り除くリヤデフォッガ９が設けられている。
【００２５】
図４は自動車１の車体後部上部からリフトゲート２の上部にかけての断面を示す図１のＡ−Ａ’断面図であり、図５はリフトゲート２の内部を車両上方から斜視した模式図である。本実施の形態では、リフトゲート２を構成するアウターパネル１０およびインナーパネル１１は、非導電体としての合成樹脂材料を用いて成形されており、両パネルは接着により接合されている。
一方、自動車１の車体を構成する車体側アウターパネル１２および車体側インナーパネル１３は、導電体としての鋼板材料を用いて成形されており、両パネルは溶接により接合されている。
【００２６】
第１アンテナ素子３は、インナーパネル１１の剛性を高めるために形成された補強リブ１４上の略水平面部に接着固定され、アウターパネル１０とインナーパネル１１との間の空間に配されている。
一方、第２アンテナ素子５は、リヤウインドウガラス４の車室内側に接着固定され、第１アンテナ素子に対して車両下方に向かって傾斜して配される。
なお、この第２アンテナ素子５は、既知のガラスアンテナのように、リヤウインドウガラス４に予めプリントしておいても良い。
また、ＡＭ放送波を受信する第１アンテナ素子３は、リフトゲート２の車両上方に設けることにより、既知の通常のガラスアンテナに比して、導電体からなる車体やリヤデフォッガ９のような電装品からアンテナ素子を離間することができる。このことにより受信性能が高まり、アンプやチョークコイルといった装置や部品が不要となる。
【００２７】
更に、ＦＭ放送波を受信する第２アンテナ素子５をリヤウインドウガラス４に設けたため、水平方向に強い放送波だけではなく、垂直方向に強い放送波をも良好に受信することができる。このように構成したことにより、国によって特性が大きく異なるＦＭ放送波（高い周波数帯の放送波）に対する受信性能を高めることができる。
該第２アンテナ素子５は、リヤウインドウガラス４に設けられているため、アウターパネル１０とインナーパネル１１との間の空間内に第２アンテナ素子５を設ける場合に比して、アンテナ素子の配置自由度をも高めることができる。
【００２８】
なお、第１アンテナ素子３には、その後端部から補強リブ１４に沿って車両後方かつ下方へ延伸された延伸部１５が形成されており、該延伸部の端部にはリヤウインドウガラス４へ向かい弾性力を付すことにより第２アンテナ素子５と第１アンテナ素子３とを電気的に接続する接点部１６が設けられている。
このように構成することにより、第２アンテナ素子５と同軸線６とを容易に接続することができる。
【００２９】
同軸線６は従来公知のものと同様のもので、内部導体１７と外部導体１８とを備えている。自動車１の車体側アウターパネル１２から引き出された同軸線６は、防水用のグロメット１９内を通り、インナーパネル１１に設けられた開口２０からリフトゲート２へ導かれる。
同軸線６の内部導体１７は、給電部としてのコネクタ２１を介して第１アンテナ素子３と接続される。一方、同軸線の外部導体１８は、ヒンジ部材８の開閉体側ヒンジブラケット８ｂをインナーパネル１１と締結するためのボルト８ｅと螺合するナット２２ｅと共締めされている。
この構成により、同軸線６の外部導体１８は、ナット２２ｅおよびボルト８ｅを介して自動車１の車体側アウターパネル１２と電気的に接続される。自動車１の車体側アウターパネル１２は鋼板からなる導電体であるとともにアースされているため、結果として同軸線６の外部導体１８は、合成樹脂からなる非電導体であるリフトゲート２にありながらアースをとることが可能となる。
また、外部導体１８は、開閉体側ヒンジブラケット８ｂをインナーパネル１１と締結すためのボルト８ｅと嵌合するナット２２ｅと共締めされているため、アースをとるための特段の部材を設けることなく、確実にアースをとることができる。
【００３０】
更に、給電部としてのコネクタ２１は、ヒンジ部材８（ボルト８ｅ、８ｆおよびナット２２ｅ、２２ｆ）の近傍に設けられているため、コネクタ２１がヒンジ８と離れて配される場合に比して、内部導体１７と外部導体１８とが分岐される点からコネクタ２１までの距離（換言すると放送波の受信感度の低い部分）を短くすることができ、結果として受信感度を向上することができる。
【００３１】
以上のような本発明の実施形態に係るアンテナ装置の受信特性を確かめるために、本願発明者は、アースを自動車の車体側インナーパネルでとった場合（以下室内アースと呼ぶ）と、本発明の実施形態のように、ヒンジでアースをとった場合（以下、ヒンジアースと呼ぶ）とを対比する試験を行った。
【００３２】
試験は、ＦＭラジオ放送波を受信対象とし、７６〜９０ＭＨｚ及び８８〜１０８ＭＨｚの高周波帯域について行った。
７６〜９０ＭＨｚについては、水平成分の偏波が強い、日本のＦＭ放送波について実験を行った。一方、８８〜１０８ＭＨｚについては、垂直成分の偏波が強い、欧米のＦＭ放送波について実験を行った。
本試験では、室内アースの同軸線の内部導体は、ヒンジアースよりも長さにして３００ｍｍ長くなっている。
【００３３】
各試験の結果を、図６および図７に示す。
図６および図７のグラフの縦軸はゲイン（利得）を示し、ゲインが大きいほど受信性能が高いことを示す。横軸は周波数を示している。
【００３４】
図６のグラフから分かるように、７６〜９０ＭＨｚの日本のＦＭ放送波について、室内アースとヒンジアースとを子細比較検討すれば、全ての周波数においてヒンジアースが室内アースより高い受信性能を発揮していることが判る。平均すると、ヒンジアースの方が室内アースに比べて約３．７ｄＢも受信感度が高くなっている。
【００３５】
８８〜１０８ＭＨｚの欧米のＦＭ放送波について室内アースとヒンジアースとを子細比較検討すれば、図７のグラフから判るように、概してヒンジアースが室内アースより高い受信性能を発揮していることが判る。平均すると、ヒンジアースの方が室内アースに比べて約３．０ｄＢも受信感度が高くなっている。
【００３６】
以上より、本発明の実施形態のように、ヒンジでアースをとることにより、アースを自動車の車体側インナーパネルでとる場合に比して高い受信感度を得られることが確認できた。
本発明の実施形態では、約３ｄＢも受信感度が高められるため、アンプを用いた増幅を行うことなく、満足できる受信感度が得られる。そのため、アンプを設置するスペースの削減やコスト低減をも可能とするものである。
【００３７】
図８は、第１の実施形態における、ヒンジ部材８の別の実施例を示すものである。
車体側ヒンジブラケット８ａと開閉体側ヒンジブラケット８ｂとは、ヒンジピン８ｃを介して連結されているが、電気接続部材としてのハーネス２３を介しても連結されている。ハーネス２３は導電体からなるとともに、その一端が車体側ヒンジブラケット８ａに、また他端が開閉体側ヒンジブラケット８ｂに、それぞれハンダ接合されている。該ハーネス２３は、リフトゲート２の開閉を阻害しないように構成されている。具体的には、ハーネスの長さに余裕を持たせてあり、リフトゲート２が車体に対し閉じられたときには弛むよう構成されている。
このように構成することによって、車体側ヒンジブラケット８ａと開閉体側ヒンジブラケット８ｂとの間が電気的に直接接続されることから、車体側ヒンジブラケット８ａ、開閉体側ヒンジブラケット８ｂおよびヒンジピン８ｃとの間の接触不良により生ずる不十分な電気接続状態を避けることができ、確実なアースをとることができる。
【００３８】
また、開閉体側ヒンジブラケット８ｂがインナーパネル１１と接する側には、同軸線６の外部導体１８を接続するためのアースコネクタ２４が設けられている。該アースコネクタ２４は、開閉体側ヒンジブラケット８ｂと電気的に接続されるよう構成されており、該開閉体側ヒンジブラケット８ｂがリフトゲート２のインナーパネル１１に締結されると、インナーパネル１１に予め設けられたアースコネクタ用開口２５を通ってインナパネル１１の上方に露出するよう設けられている。
このように構成することによって、同軸線６の外部導体１８にコネクタを設けるだけで、開閉体側ヒンジブラケット８ｂと外部導体１８とを電気的に直接接続することができ、アースをより確実にとることができる。
【００３９】
次に、本発明の第２の実施形態について説明する。図９は本実施の形態に係る車両用アンテナ装置を備えた自動車の側部斜視図であり、図１０はその要部を拡大した斜視図である。本実施の形態に係る自動車１には、乗員が車室内に乗降するためのドア開口２６を開閉自在に覆う開閉体としてのフロントドア２７およびリヤドア２８が設けられている。フロントドア２７はドア開口２６の車両前方側に設けられた図示しないヒンジ部材を介して導電体としての鋼板からなる自動車１の車体に支持されている。
リヤドア２８は非導電体としての合成樹脂からなるインナーパネルおよびアウターパネルから構成され、ドア開口２６の車両後方側に設けられたヒンジ部材２９および２９’を介して自動車１の車体に支持されている。
【００４０】
リヤドアの上部かつインナーパネルとアウターパネルに挟まれた空間内には、ＡＭ放送波を受信する第１アンテナ素子３が設けられ、リヤドアガラス３０の車両上方には、ＦＭ放送波を受信する第２アンテナ素子５が設けられている。車室内に設けられた受信機７は、図示しないコネクタを介して同軸線６と接続され、同軸線６は自動車１の車体とリヤドア２８の間を接続する防水用のグロメット１９を経てリヤドア２８の給電点３１に導かれている。給電点３１では、同軸線６の内部導体１７と外部導体１８とが分岐され、内部導体は第１アンテナ素子３および第２アンテナ素子５へ接続される一方、外部導体１８は、金属製のリヤドアラッチ３２へ接続されている。該リヤドアラッチ３２は、リヤドア２８を閉じたときに自動車１の車体に設けられる導電体としての金属からなるリヤドアストライカ３３に係合され、このリヤドアラッチ３２とリヤドアストライカ３３とでリヤドア２８を固定支持するロック部材が構成されている。
【００４１】
この構成により、リヤドア２８が閉じられているときには、同軸線６の外部導体１８がリヤドアラッチ３２およびリヤドアストライカ３３を介して自動車１の車体に電気的に接続される。自動車１の車体は導電体であるとともにアースされているため、結果として同軸線６の外部導体１８はリヤドア２８にありながらアースをとることができる。
【００４２】
なお、本発明は、以上の実施形態に限定されるものではなく、その要旨を逸脱しない範囲において、適宜変更が可能であることは言うまでもない。
例えば、上記の実施形態における第２アンテナ素子は、リヤウインドウガラスに固定されなくとも、第１アンテナ素子同様にリフトゲートやリヤドアのアウターパネルとインナーパネルとの間の空間に配されるものであっても良い。このように構成することによって、アンテナ素子が車外から直接目視されることが無くなり、美観の向上を図ることができる。
また、上記の実施形態では、第１アンテナ素子と第２アンテナ素子とを組み合わせたアンテナ素子を用いたが、どちらか一方のアンテナ素子のみを配しても良いことは勿論である。
更に、上述の実施形態におけるヒンジまたはラッチおよびストライカには、通常用いられる金属である鉄よりも導電率の高い金などを用いることにより、アースの確実性を高めることもできる。また、本体は鉄からなり、表面を金めっき処理することにより導電性を高めることも可能である。
【００４３】
【発明の効果】
本願の第１の発明に係る車両用アンテナ装置によれば、リフトゲートのような開閉体自体が樹脂のような非導電体のみからなり、鋼板のような導電体からなる車体に対して電気的に絶縁されている場合であっても、アースポイントを開閉体側にとることができるので、アースポイントを車体に設ける場合に比してアンテナ素子からアースポイントまでの距離を短くすることができ、放送波の受信性能を飛躍的に高めることが可能となる。また、充分な受信感度が得られるため、アンプなどを用いた増幅も必要が無くなり、構造の複雑化やコストの上昇を招くことがない。
【００４４】
また、本願の第２の発明によれば、基本的には、上記第１の発明と同様の効果を奏することができる。更に、ヒンジやラッチをリフトゲートのような開閉体に固定するボルトやナットのような固定部材に同軸線の外部導体を接続するため、車体との電気的接続を確実に行えると共に、特段の支持部材を設けることがないため、構造の複雑化やコストの上昇を招くこともない。
【００４５】
また、本願の第３の発明によれば、基本的には、上記第１の発明と同様の効果を奏することができる。更に、同軸線の内部導体と外部導体とが分岐される点と、給電部とが離れて配される場合に比して、内部導体の有効受信部分のうち、放送波の受信感度が低い部分の距離を短くでき、受信感度を向上することができる。
【００４６】
また、本願の第４の発明によれば、基本的には、上記第１の発明と同様の効果を奏することができる。更に、水平成分の強い放送波とともに垂直成分の強い放送波をも良好な感度で受信できるため、電波特性の異なる車両の仕向け地にも構造を変更することなく対応できる。
【００４７】
更にまた、本願の第５の発明によれば、基本的には、上記第４の発明と同様の効果を奏することができる。更に、第２のアンテナ素子をガラスなどの窓体に設けたため、開閉体内部に設けることによるアンテナ素子の配置自由度の低下を避けることができ、良好な受信感度が得られるよう、最適なアンテナ素子長や形状の設定が行える。
【００４８】
更にまた、本願の第６の発明によれば、基本的には、上記第４の発明と同様の効果を奏することができる。更に、例えば第１アンテナ素子をＡＭ放送波を受信するためのものとし、第２アンテナ素子をＦＭ放送波を受信するためのものとすると、第２アンテナ素子は水平成分の強い放送波にも垂直成分の強い放送波にも対応するよう設けられているため、特にＦＭ放送波のように仕向け地で異なる電波特性を持つ放送波を受信する場でも構造を変更することなく良好な受信感度での受信が可能となる。
【００４９】
更にまた、本願の第７の発明によれば、基本的には、上記第４の発明と同様の効果を奏することができる。更に、第１アンテナ素子がリフトゲートに設けられる場合、導電体からなる車体による影響が最も少なく、かつリヤデフォッガのような電装品による影響が最も少なくなる、リフトゲート上部に第１アンテナ素子を設けたため、第１アンテナ素子の受信感度を高めることができる。
【００５０】
更にまた、本願の第８の発明によれば、基本的には、上記第１の発明と同様の効果を奏することができる。更に、従来から開閉体の支持に一般的に用いられるヒンジを介することにより、従来の構造を変更することなく確実にアースをとることができる。
【００５１】
更にまた、本願の第９の発明によれば、基本的には、上記第１の発明と同様の効果を奏することができる。更に、従来から開閉体の固定支持に一般的に用いられるラッチ部材およびストライカからなるロック部材を介することにより、従来の構造を変更することなく確実にアースをとることができる。
【００５２】
更にまた、本願の第１０の発明によれば、基本的には、上記第８の発明と同様の効果を奏することができる。更に、車体側ヒンジブラケットと開閉体側ヒンジブラケットとの間の接触不良（例えば、ヒンジピン部での接触不良）により生ずる不十分な電気接続状態を避けることができ、確実なアースをとることができる。
【図面の簡単な説明】
【図１】本発明の第１の実施形態に係る車両用アンテナ装置を備えた自動車の後方斜視図である。
【図２】第１の実施形態に係る車両用アンテナ装置を備えた自動車の後部平面図である。
【図３】第１の実施形態に係る車両用アンテナ装置を備えた自動車のリフトゲートを車室内側から見た図である。
【図４】図１に示す第１の実施形態に係る車両用アンテナ装置を備えた自動車のＡ−Ａ’断面図である。
【図５】第１の実施形態に係る車両用アンテナ装置を備えた自動車のリフトゲートの内部を斜視した模式図である。
【図６】第１の実施形態に係る車両用アンテナ装置の受信感度の比較試験結果を示すグラフの１つである。
【図７】第１の実施形態に係る車両用アンテナ装置の受信感度の比較試験結果を示すグラフの１つである。
【図８】第１の実施形態に係る車両用アンテナ装置に用いられるヒンジの別の実施例を示す図である。
【図９】本発明の第２の実施形態に係る車両用アンテナ装置を備えた自動車の側部斜視図である。
【図１０】図９に示す第２の実施形態に係る車両用アンテナ装置を備えた自動車の要部を拡大した斜視図である。
【符号の説明】
１…自動車
２…リフトゲート
３…第１アンテナ素子
４…リヤウインドウガラス
５…第２アンテナ素子
６…同軸線
７…受信機
８…ヒンジ部材
８’…ヒンジ部材
８ａ…車体側ヒンジブラケット
８ｂ…開閉体側ヒンジブラケット
８ｃ…ヒンジピン
８ｄ…ボルト
８ｅ…ボルト
８ｆ…ボルト
９…リヤデフォッガ
１０…アウターパネル
１１…インナーパネル
１２…車体側アウターパネル
１３…車体側インナーパネル
１４…補強リブ
１５…延伸部
１６…接点部
１７…内部導体
１８…外部導体
１９…グロメット
２０…開口
２１…コネクタ
２２…ナット
２３…ハーネス
２４…アースコネクタ
２５…アースコネクタ用開口
２６…ドア開口
２７…フロントドア
２８…リヤドア
２９…ヒンジ部材
２９’…ヒンジ部材
３０…リヤドアガラス
３１…給電点
３２…リヤドアラッチ
３３…リヤドアストライカ
【図１】
2004297260.tif 000003
【図２】
2004297260.tif 000004
【図３】
2004297260.tif 000005
【図４】
2004297260.tif 000006
【図５】
2004297260.tif 000007
【図６】
2004297260.tif 000008
【図７】
2004297260.tif 000009
【図８】
2004297260.tif 000010
【図９】
2004297260.tif 000011
【図１０】
2004297260.tif 000012